(57)【要約】【課題】緩衝材に段ボールシートを使用し、部品数を最小限にし容易に組み立てができ、製品本体と包装箱の内面との間のクリアランスを保つことができる家庭用電気機器の梱包構造を提供する。【解決手段】段ボール製の包装箱１と、この包装箱１の底部に入れられる下緩衝材４と、上部に入れられる上前緩衝材５と上後緩衝材６とにより、製品本体２を梱包する家庭用電気機器の梱包構造において、前記下緩衝材４は、製品本体２の底面の凸凹に合わせて抜き穴３を設けた段ボールシート４ａを左右両端部から折り曲げて２つのスリーブ４ｂを形成し、前記抜き穴３に製品本体２の底面の凸凹を挿入して固定し、前記上前緩衝材５は、段ボールシート５ａを左右両端部から折り曲げて２つのスリーブ５ｂを形成し、前記上後緩衝材６は、段ボールシート６ａを左右両端部から折り曲げ２つのスリーブ６ｂを形成し、この上前緩衝材５と上後緩衝材６とで製品本体２の上面部を固定した。【選択図】  図１
2004345675.tif 000002
【特許請求の範囲】
【請求項１】
段ボール製の包装箱（１）と、この包装箱（１）の底部に入れられる下緩衝材（４）と、上部に入れられる上前緩衝材（５）と、上後緩衝材（６）とにより、製品本体（２）を梱包する家庭用電気機器の梱包構造において、前記下緩衝材（４）は、製品本体（２）の底面の凸凹に合わせて抜き穴（３）を設けた段ボールシート（４ａ）を左右両端部から折り曲げて２つのスリーブ（４ｂ）を形成し、前記抜き穴（３）に製品本体（２）の底面の凸凹を挿入して固定し、前記上前緩衝材（５）は、段ボールシート（５ａ）を左右両端部から折り曲げて２つのスリーブ（５ｂ）を形成し、前記上後緩衝材（６）は、段ボールシート（６ａ）を左右両端部から折り曲げて２つのスリーブ（６ｂ）を形成し、この上前緩衝材（５）と上後緩衝材（６）とで製品本体（２）の上面部を固定したことを特徴とする家庭用電気機器の梱包構造。
【請求項２】
下緩衝材（４）は、製品本体（２）の底面の凸凹に合わせた抜き穴（３）と、組み立て形状固定用の固定用切り込み（８）と、底板（４ｃ）と、受圧面（４ｄ）とを設けた段ボールシート（４ａ）から成り、この段ボールシート（４ａ）を左右両端部から折り曲げて２つのスリーブ（４ｂ）を形成し、固定用切り込み（８）同士を重ねて折り曲げることにより前記スリーブ（４ｂ）の組み立て形状を固定し、底板（４ｃ）をスリーブ（４ｂ）の中に折り曲げ、抜き穴（３）の断面（９）と受圧面（４ｄ）で前後左右の動きを押さえ、スリーブ（４ｂ）の中に折り曲げた底板（４ｃ）で製品本体（２）の底面を受け、製品本体（２）の脚などの凸部分と包装箱（１）までのクリアランスを確保するようにしたことを特徴とする請求項１記載の家庭用電気機器の梱包構造。
【請求項３】
上前緩衝材（５）は、中央部に設けた製品受圧板（５ｃ）と、両端部に設けた受圧板（５ｆ）と、この受圧板（５ｆ）に半切り線（５ｈ）を介して隣接した補強受圧板（５ｇ）とを設けた段ボールシート（５ａ）から成り、この段ボールシート（５ａ）を左右両端部から折り曲げて２つのスリーブ（５ｂ）を形成し、前記受圧板（５ｆ）に隣接した補強受圧板（５ｇ）を半切り線（５ｈ）で折り返して２重板厚構造にし、製品受圧板（５ｃ）に設けた切り込み（５ｄ）に前記スリーブ（５ｂ）の一辺を差し込み、組み立て形状を固定すると共に、補強受圧板（５ｇ）を包装箱（１）の内側面に突き当てる構成としたことを特徴とする請求項１記載の家庭用電気機器の梱包構造。
【請求項４】
上後緩衝材（６）は、中央部に設けた製品受圧板（６ｃ）と、包装箱（１）内に入れる付属品（１０）を固定するための切り込み（６ｆ）とを設けた段ボールシート（６ａ）から成り、この段ボールシート（６ａ）を左右両端部から折り曲げて２つのスリーブ（６ｂ）を形成し、前記製品受圧板（６ｃ）に設けた切り込み（６ｄ）により分割された製品受圧板（６ｃ’）を前記スリーブ（６ｂ）内に起こして組み立て形状を固定すると共に、前記スリーブ（６ｂ）部分に形成された切り込み（６ｆ）に付属品（１０）を差し込み固定することを特徴とする請求項１記載の家庭用電気機器の梱包構造。
【請求項５】
上前緩衝材（５）と、上後緩衝材（６）の段ボールシート（５ａ）、（６ａ）に設けた製品受圧板（５ｃ）、（６ｃ）を切り込み線（５ｅ）、（６ｅ）で２等分することにより、組み立て時に片側ずつにスリーブ（５ｂ）、（６ｂ）を形成して、切り込み（５ｄ）、（６ｄ）部分で組み立て形状を固定出来るようにしたことを特徴とする請求項１記載の家庭用電気機器の梱包構造。
【発明の詳細な説明】
【０００１】
【発明の属する技術分野】
本発明は、家庭用乾燥式生ごみ処理機など外形の形状に丸みがあり、重量のある家庭用電気機器の梱包構造に関するものである。
【０００２】
【従来の技術】
従来のこの種の梱包構造としては、図５に示すように製品本体２を保護シート１３を介して発泡スチロール樹脂からなる成形緩衝材１１によって上下で挟んで固定し、段ボール製の包装箱１内に収納するものがある。
【０００３】
また、図６に示すように製品本体２を保護シート１３を介して段ボールシートからなる４種類の緩衝材１２によって前後、上下、左右で挟んで固定し、段ボール製の包装箱１内に収納するものがある。
【０００４】
また、例えば特許文献１に示されるように、製品の底部と側面部また上面部にわたり複数の緩衝材を備えた例もある。
【０００５】
【特許文献１】
特開２００３−３７３４４号公報
【０００６】
【発明が解決しようとする課題】
しかしながら、上記従来技術において最初に示すものは、発泡スチロール樹脂からなる成形緩衝材１１は、丸みをおびた家庭用電気機器のような複雑な曲面を有する製品本体２において、形状が自由に作成できるため、緩衝性能は優れているが、廃棄やリサイクルがしにくく、また、特に発泡スチロール樹脂は近年のごみ公害問題の原因となる物質であり、このような理由により梱包用緩衝材として発泡スチロールを使用せず、段ボールシートを使用したものに替わりつつある。
【０００７】
また二番目及び三番目に示すものは、緩衝材を段ボールで構成しているが、段ボールの緩衝材は部品点数が多くなり、また、緩衝材の形状が複雑であると組み立てに時間がかかる等の組み立て性を含めたコスト的な問題がある。
【０００８】
本発明は、このような従来の問題点を解決するものであり、緩衝材に段ボールを使用してリサイクルしやすくし、さらに部品点数を最小限にし、また容易に組み立てが可能で、包装箱の内面と製品本体とのクリアランスを保つことのできる家庭用電気機器の梱包構造を提供することを目的とするものである。
【０００９】
【課題を解決するための手段】
本発明は上記課題を解決するために、段ボール製の包装箱と、この包装箱の底部に入れられる下緩衝材と、上部に入れられる上前緩衝材と上後緩衝材とにより、製品本体を梱包する家庭用電気機器の梱包構造において、前記下緩衝材は、製品本体の底面の凸凹に合わせて抜き穴を設けた段ボールシートを左右両端部から折り曲げて２つのスリーブを形成し、前記抜き穴に製品本体の底面の凸凹を挿入して固定し、前記上前緩衝材は、段ボールシートを左右両端部から折り曲げて２つのスリーブを形成し、前記上後緩衝材は、段ボールシートを左右両端部から折り曲げて２つのスリーブを形成し、この上前緩衝材と上後緩衝材とで製品本体の上面部を固定したものである。
【００１０】
また、下緩衝材は、製品本体の底面の凸凹に合わせた抜き穴と、組み立て形状固定用の固定用切り込みと、底板と、受圧面とを設けた段ボールシートから成り、この段ボールシートを左右両端部から折り曲げて２つのスリーブを形成し、固定用切り込み同士を重ねて折り曲げることにより前記スリーブの組み立て形状を固定し、底板をスリーブの中に折り曲げ、抜き穴の断面と受圧面で前後左右の動きを押さえ、スリーブの中に折り曲げた底板で製品本体の底面を受け、製品本体の脚などの凸部分と包装箱までのクリアランスを確保するようにしたものである。
【００１１】
また、上前緩衝材は、中央部に設けた製品受圧板と、両端部に設けた受圧板と、この受圧板に半切り線を介して隣接した補強受圧板とを設けた段ボールシートから成り、この段ボールシートを左右両端部から折り曲げて２つのスリーブを形成し、前記受圧板に隣接した補強受圧板を半切り線で折り返して２重板厚構造にし、製品受圧板に設けた切り込みに前記スリーブの一辺を差し込み、組み立て形状を固定すると共に、補強受圧板を包装箱の内側面に突き当てる構成としたものである。
【００１２】
また、上後緩衝材は、中央部に設けた製品受圧板と、包装箱内に入れる付属品を固定するための切り込みとを設けた段ボールシートから成り、この段ボールシートを左右両端部から折り曲げて２つのスリーブを形成し、前記製品受圧板に設けた切り込みにより分割された製品受圧板を前記スリーブ内に起こして組み立て形状を固定すると共に、前記スリーブ部分に形成された切り込みに付属品を差し込み固定するものである。
【００１３】
また、上前緩衝材と、上後緩衝材の段ボールシートに設けた製品受圧板を切り込み線で２等分することにより、組み立て時に片側ずつにスリーブを形成して、切り込み部分で組み立て形状を固定出来るようにしたものである。
【００１４】
これにより、リサイクルしやすい段ボールを使用し、さらに部品点数を最小限にし、また容易に組み立てが可能で、包装箱の内面と製品本体とのクリアランスを保つことができる。
【００１５】
【発明の実施の形態】
以下、本発明の一実施例を図１〜図４を参照して説明する。
【００１６】
図において、１は段ボール製の包装箱で上部に蓋７を有するものであり、以下に説明するように、下緩衝材４を包装箱１の底部に入れ、この下緩衝材４の上に上下に保護シート１３を置いた家庭用電気機器である家庭用乾燥式生ごみ処理機の製品本体２を乗せ、包装箱１の上部に上前緩衝材５と上後緩衝材６を入れ、上後緩衝材６の切り込み６ｆに付属品１０を差し込み固定して、製品本体２を梱包するものである。
【００１７】
下緩衝材４は、図２の展開図に示すように一枚の横長の段ボールシート４ａから成り、通常はこの展開図の状態で運搬及び保管するものである。この段ボールシート４ａは、長手方向に沿って区分した底板４ｆ、底板４ｇ、底板４ｈ、底板４ｉ、底板４ｊに夫々製品本体２の底面にある脚などの凸凹に合わせた抜き穴３と、組み立て形状固定用の固定用切り込み８と、下緩衝材４を折り曲げて成形するための罫線４ｋ〜４ｑを設けてある。また、底板４ｈには底板４ｃと受圧面４ｄが切り込み線４ｒにより設けてある。
【００１８】
上前緩衝材５は、図３の上前緩衝材の展開図に示すように一枚の横長の段ボールシート５ａから成り、通常はこの展開図の状態で運搬及び保管するものである。この段ボールシート５ａは、組み立て形状固定用の切り込み５ｄを設けた製品受圧板５ｃを中央部に設け、また、この製品受圧板５ｃは中央から切り込み線５ｅで２等分してある、また、段ボールシート５ａの両端部には抜き穴５ｉと、罫線５ｏと、受圧板５ｆと、この受圧板５ｆに隣接した補強受圧板５ｇが段ボールシートの板厚の半分程度まで切れ目を入れて折り曲げ易くした半切り線５ｈを介して設けてある。また、上前緩衝材５を折り曲げて形成するための罫線５ｊ〜５ｎを設けてある。
【００１９】
上後緩衝材６は、図４の上後緩衝材の展開図に示すように一枚の横長の段ボールシート６ａから成り、通常はこの展開図の状態で運搬及び保管するものである。この段ボールシート６ａには、組み立て形状固定用の切り込み６ｄを設けた製品受圧板６ｃを中央部に設け、また、この製品受圧板６ｃは中央から切り込み線６ｅで２等分してあり、また、前記切り込み６ｄにより分割された製品受圧板６ｃ’を設けてある。また、付属品１０を差し込んで固定する切り込み６ｆと、上後緩衝材６を折り曲げて形成するための罫線６ｇ〜６ｋと、製品本体２の丸み形状に合わせて折り曲げることができる折り曲げ線６ｌとを設けてある。
【００２０】
次に、下緩衝材４を組み立てる方法について説明する。
【００２１】
まず、段ボールシート４ａを左右両端部の罫線４ｋから順番に４ｎまで図２の表側方向に９０°折り曲げることにより、左右に２つのスリーブ４ｂを形成し、底板４ｈと底板４ｆ、４ｊの重なり部分の固定用切り込み８を重ねて折り込むことにより組み立て形状を固定することができる。
【００２２】
そして、底板４ｃを罫線４ｑで図２の裏側方向に２つ折りして前記スリーブ４ｂの中に入れ込むように罫線４ｏと４ｐを折り曲げることにより、受圧面４ｄにより底板４ｆ、４ｊに設けた抜き穴３の断面９を押さえ、組み立て形状に於いて前後左右の動きを押さえることができ、底板４ｈとスリーブ４ｂの中に折り曲げた底板４ｃで製品本体２の底面を受けて固定し、製品本体２の脚などの凸部品と包装箱１の底面までのクリアランスを確保することができるものである。
【００２３】
次に、上前緩衝材５を組み立てる方法について説明する。
【００２４】
まず、段ボールシート５ａを左右両端部の罫線５ｊから順番に５ｍまで図３の表側方向に９０°折り曲げることにより、左右に２つのスリーブ５ｂを形成し、そして、製品受圧板５ｃを罫線５ｎで表側に折り曲げて起こし、切り込み５ｄに前記スリーブ５ｂの一辺である受圧板５ｆの罫線５ｏと抜き穴５ｉの交わる箇所を差し込み組み立て形状を固定し、スリーブ５ｂの形状をロックする。
【００２５】
そして、受圧板５ｆに隣接した補強受圧板５ｇを半切り線５ｈで図３の裏側方向に折り返し、２重に重ねることにより２重板圧構造にして、上前緩衝材５を包装箱１に入れたとき補強受圧板５ｇが包装箱１の内側面に突き当てるようにして、製品本体２の固定を補強し前面の衝撃を緩和することができる。
【００２６】
また、製品受圧板５ｃを切り込み線５ｅで２等分することにより、組み立て時に片側ずつスリーブ５ｂを形成してロックする構成とし、組み立て作業性を良くし、製品本体２の形状に添って上部と前面と左右の衝撃を緩和することができる。
【００２７】
次に、上後緩衝材６を組み立てる方法について説明する。
【００２８】
まず、段ボールシート６ａを左右両端部の罫線６ｇから順番に６ｊまで図４の表側方向に９０°折り曲げることにより、左右に２つのスリーブ６ｂを形成し、そして、製品受圧板６ｃを罫線６ｋで表側に折り曲げて起こし、切り込み６ｄにより分割された製品受圧板６ｃ’を罫線６ｋで折り曲げスリーブ６ｂ内に起こして組み立て形状を固定し、スリーブ６ｂの形状をロックする。
【００２９】
そして、罫線６ｌを製品本体２の上面の曲線になじむように折り曲げ、罫線６ｋは製品本体２の形状に合わせて折り曲げる。
【００３０】
また、製品受圧板６ｃを切り込み線６ｅで２等分することにより、片側ずつスリーブ６ｂを形成してロックする構成とし、組み立て作業性を良くし、製品本体２の形状に添って上部と後面と左右の衝撃を緩和することができる。
【００３１】
以上の構成における作用について説明する。
【００３２】
製品本体２を梱包する組み立て手順は、先ず、上部の蓋７を開いた包装箱１を床に置き、その包装箱１の底部に段ボールシート４ａを左右両方から折り曲げ２つのスリーブ４ｂを形成し、固定用切り込み８で形状をロックし、底板４ｃをスリーブ４ｂの中に折り曲げ形成した、製品本体底面の凸凹に合わせた抜き穴３を有する下緩衝材４を入れ、上下に保護シート１３を置いた製品本体２を下緩衝材４の上に乗せ製品本体２の底面を固定する。
【００３３】
次に、段ボールシート５ａを左右両方から折り曲げスリーブ５ｂを形成し、製品受圧板５ｃに設けた切り込み５ｄで形状をロックして形成した上前緩衝材５と、段ボールシート６ａを左右両方から折り曲げスリーブ６ｂを形成し、製品受圧板６ｃに設けた切り込み６ｄで形状をロックし形成した上後緩衝材６を製品本体２の上面部を固定するように入れる。
【００３４】
さらに、上後緩衝材６のスリーブ６ｂ部に設けた切り込み６ｆに付属品１０の差込プラグ部分とアース線を差し込んで固定して収納し、最後に包装箱１の上部の蓋７を閉じ、その後包装箱１の周囲にバンド、またはテープを貼るなどの処理を行う。
【００３５】
このような構成にしたことにより、リサイクルしやすい段ボールを使用し、さらに部品点数を最小限にし、また容易に組み立てが可能で、包装箱１の内面と製品本体２とのクリアランスを保つことができる。
【００３６】
また、部品点数を最小限とし、組み立ての容易さによりコストを安くすることができる。
【００３７】
また、全ての緩衝材に組み立て形状をロックする機能がついているため、テープを貼って固定する作業が必要ない。
【００３８】
【発明の効果】
以上説明したように本発明によれば、段ボール製の包装箱と、この包装箱の底部に入れられる下緩衝材と、上部に入れられる上前緩衝材と上後緩衝材とにより、製品本体を梱包する家庭用電気機器の梱包構造において、前記下緩衝材は、製品本体の底面の凸凹に合わせて抜き穴を設けた段ボールシートを左右両端部から折り曲げて２つのスリーブを形成し、前記抜き穴に製品本体の底面の凸凹を挿入して固定し、前記上前緩衝材は、段ボールシートを左右両端部から折り曲げて２つのスリーブを形成し、前記上後緩衝材は、段ボールシートを左右両端部から折り曲げて２つのスリーブを形成し、この上前緩衝材と上後緩衝材とで製品本体の上面部を固定したことにより、リサイクルしやすい段ボールを使用し、さらに部品点数を最小限にし、また、容易に組み立てが可能で、包装箱の内面と製品本体との間のクリアランスを保つことができる。
【００３９】
また、下緩衝材は、製品本体の底面の凸凹に合わせた抜き穴と、組み立て形状固定用の固定用切り込みと、底板と、受圧面とを設けた段ボールシートから成り、この段ボールシートを左右両端部から折り曲げて２つのスリーブを形成し、固定用切り込み同士を重ねて折り曲げることにより前記スリーブの組み立て形状を固定し、底板をスリーブの中に折り曲げ、抜き穴の断面と受圧面で前後左右の動きを押さえ、スリーブの中に折り曲げた底板で製品本体の底面を受け、製品本体の脚などの凸部分と包装箱までのクリアランスを確保するようにしたことにより、製品本体の収まりを強制し、包装箱の内面との間のクリアランスを保つことができる。
【００４０】
また、上前緩衝材は、中央部に設けた製品受圧板と、両端部に設けた受圧板と、この受圧板に半切り線を介して隣接した補強受圧板とを設けた段ボールシートから成り、この段ボールシートを左右両端部から折り曲げて２つのスリーブを形成し、前記受圧板に隣接した補強受圧板を半切り線で折り返して２重板厚構造にし、製品受圧板に設けた切り込みに前記スリーブの一辺を差し込み、組み立て形状を固定すると共に、補強受圧板を包装箱の内側面に突き当てる構成としたことにより、製品本体の収まりを強制し、包装箱の内面との間のクリアランスを保つことができる。
【００４１】
また、上後緩衝材は、中央部に設けた製品受圧板と、包装箱内に入れる付属品を固定するための切り込みとを設けた段ボールシートから成り、この段ボールシートを左右両端部から折り曲げて２つのスリーブを形成し、前記製品受圧板に設けた切り込みにより分割された製品受圧板を前記スリーブ内に起こして組み立て形状を固定すると共に、前記スリーブ部分に形成された切り込みに付属品を差し込み固定することにより製品本体の収まりを強制し、包装箱の内面との間のクリアランスを保つことができると共に、付属品の電源コードやアース線等を固定することができる。
【００４２】
また、上前緩衝材と、上後緩衝材の段ボールシートに設けた製品受圧板を切り込み線で２等分することにより、組み立て時に片側ずつにスリーブを形成して、切り込み部分で組み立て形状を固定出来るようにしたことにより、組み立て作業性を簡単にすることができる。
【００４３】
また、部品点数を最小限とし、組み立ての容易さによりコストを安くすることができる。
【００４４】
また、全ての緩衝材にロック機能がついているため、テープを貼る必要がないという効果がある。
【図面の簡単な説明】
【図１】本発明の一実施例を示す梱包組み立て状態を示す斜視図である。
【図２】同じく下緩衝材の展開図である。
【図３】同じく上前緩衝材の展開図である。
【図４】同じく上後緩衝材の展開図である。
【図５】従来例の梱包組み立て状態を示す斜視図である。
【図６】従来例を示す梱包組み立て状態を示す斜視図である。
【符号の説明】
１  包装箱
２  製品本体
３  抜き穴
４  下緩衝材
４ａ  段ボールシート
４ｂ  スリーブ
４ｃ  底板
４ｄ  受圧面
５  上前緩衝材
５ａ  段ボールシート
５ｂ  スリーブ
５ｃ  製品受圧板
５ｄ  切り込み
５ｅ  切り込み線
５ｆ  受圧板
５ｇ  補強受圧板
５ｈ  半切り線
６  上後緩衝材
６ａ  段ボールシート
６ｂ  スリーブ
６ｃ  製品受圧板
６ｃ’  製品受圧板
６ｄ  切り込み
６ｅ  切り込み線
６ｆ  切り込み
８  固定用切り込み
９  断面
１０  付属品
【図１】
2004345675.tif 000003
【図２】
2004345675.tif 000004
【図３】
2004345675.tif 000005
【図４】
2004345675.tif 000006
【図５】
2004345675.tif 000007
【図６】
2004345675.tif 000008